(57)【要約】【課題】複数の盤間の制御ケーブルまたはケーブル心線の接続関係の把握を容易にする。【解決手段】実施形態の制御ケーブル管理装置は、複数の盤を表す複数の第１の画像と、複数の第１の画像のうち、複数のケーブル心線を接続する１対の盤を表す１対の第１の画像ごとに、該１対の第１の画像を接続する１つの第２の画像と、を表示部に表示する表示制御部を備える。【選択図】図２
2020201632.tif 000002
【特許請求の範囲】
【請求項１】
複数の盤を表す複数の第１の画像と、前記複数の第１の画像のうち、複数のケーブル心線を接続する１対の盤を表す１対の第１の画像ごとに、該１対の第１の画像を接続する１つの第２の画像と、を表示部に表示する表示制御部、
を備える制御ケーブル管理装置。
【請求項２】
前記複数の第１の画像のうちのいずれかの前記表示部上の位置を変更する操作を受け付ける受付部、をさらに備え、
前記表示制御部は、前記複数の第１の画像のうちのいずれかの位置を変更する操作が前記受付部によって受け付けられた場合に、該第１の画像と他の第１の画像との間の前記第２の画像を介した接続を維持した状態で、前記表示部上の該第１の画像の位置を変更する、
請求項１に記載の制御ケーブル管理装置。
【請求項３】
前記受付部は、さらに、前記ケーブル心線の用途を選択する操作を受け付け、
前記表示制御部は、選択された前記用途の前記ケーブル心線を表す前記１または複数の第２の画像を前記表示部に表示し、選択されていない前記用途の前記ケーブル心線を表す前記１または複数の第２の画像を前記表示部に表示しない、
請求項２に記載の制御ケーブル管理装置。
【請求項４】
前記複数の盤の各々の識別情報と、前記複数の盤の各々に設けられた１または複数の端子台の各々の識別情報と、前記１または複数の端子台の各々に設けられた複数の端子の各々の識別情報と、前記複数の端子に接続された前記１または複数のケーブル心線の各々の識別情報とが対応付けられた接続情報に基づいて、前記１または複数のケーブル心線の各々の両端にそれぞれ接続する端子と、該端子が設けられた盤とを特定する特定部、をさらに備え、
前記表示制御部は、前記特定部による特定結果に基づいて、前記複数の第１の画像と、前記１または複数の第２の画像とを前記表示部に表示する、
請求項１から３のいずれか１項に記載の制御ケーブル管理装置。
【請求項５】
前記接続情報は、さらに、前記１または複数のケーブル心線の各々の用途が対応付けられ、
前記特定部は、前記接続情報に登録された前記１または複数のケーブル心線のうち、端子との接続関係、または用途に不整合があるケーブル心線を、前記表示部への表示対象から除外する、
請求項４に記載の制御ケーブル管理装置。
【請求項６】
前記表示制御部は、前記複数の盤のうちのいずれか１つの詳細表示対象の盤を表す第３の画像と、前記詳細表示対象の前記盤に設けられた前記１または複数の端子台を表す１または複数の第４の画像と、該１または複数の端子台の各々に設けられた複数の端子を表す複数の第５の画像と、前記複数の端子のいずれかに接続された前記１または複数のケーブル心線と接続する相手先の１または複数の盤を表す１または複数の第６の画像と、前記相手先の１または複数の盤に設けられた１または複数の端子台を表す１または複数の第７の画像と、前記詳細表示対象の前記盤に設けられた前記複数の端子のいずれかと前記相手先の１または複数の盤に設けられた前記１または複数の端子台とを接続する１または複数のケーブル心線を表す１または複数の第８の画像とを、前記表示部に表示する、
請求項１から５のいずれか１項に記載の制御ケーブル管理装置。
【請求項７】
前記表示部に表示された前記複数の第１の画像のうちのいずれかを選択する操作を受け付ける受付部、をさらに備え、
前記表示制御部は、選択された第１の画像が表す盤を前記詳細表示対象の盤として前記表示部に表示する、
請求項６に記載の制御ケーブル管理装置。
【請求項８】
前記表示制御部は、前記ケーブル心線の用途を選択する操作が前記受付部によって受け付けられた場合に、選択された前記用途の前記ケーブル心線を表す前記１または複数の第８の画像を前記表示部に表示し、選択されていない前記用途の前記ケーブル心線を表す前記１または複数の第８の画像を前記表示部に表示しない、
請求項７に記載の制御ケーブル管理装置。
【請求項９】
前記表示制御部は、１つの端子台に設けられた複数の端子を表す複数の第９の画像と、他の１つの端子台に設けられた複数の端子を表す複数の第１０の画像と、前記複数の第９の画像のいずれかと前記複数の第１０の画像のいずれかを接続する１または複数のケーブル心線を表す１または複数の第１１の画像とを、前記表示部に表示する、
請求項６から８のいずれか１項に記載の制御ケーブル管理装置。
【請求項１０】
前記表示部に表示された前記１または複数の第７の画像のうちのいずれかを選択する操作を受け付ける受付部、をさらに備え、
前記複数の第１０の画像は、選択された第７の画像が表す前記端子台に設けられた前記複数の端子を表し、
前記複数の第９の画像は、前記表示部における前記１または複数の第４の画像のうちのいずれかに表される前記端子台に設けられた前記複数の端子を表す、
請求項９に記載の制御ケーブル管理装置。
【請求項１１】
前記表示制御部は、前記ケーブル心線の用途を選択する操作が前記受付部によって受け付けられた場合に、前記ケーブル心線を表す前記１または複数の第１１の画像を前記表示部に表示し、選択されていない前記用途の前記ケーブル心線を表す前記１または複数の第１１の画像を前記表示部に表示しない、
請求項１０に記載の制御ケーブル管理装置。
【請求項１２】
前記複数の盤のいずれかに関する図面の表示を指示する操作を受け付ける受付部、をさらに備え、
前記表示制御部は、前記図面の表示を指示する操作が前記受付部によって受け付けられた場合に、前記図面を前記表示部に表示する、
請求項６または９に記載の制御ケーブル管理装置。
【請求項１３】
前記表示制御部は、前記複数の盤の各々の識別情報と、前記複数の盤の各々に設けられた１または複数の端子台の各々の識別情報と、前記１または複数の端子台の各々に設けられた複数の端子の各々の識別情報と、前記複数の端子に接続された前記１または複数のケーブル心線の各々の識別情報とが対応付けられた接続情報に登録された前記１または複数のケーブル心線の接続関係または用途に不整合がある場合には、不整合の内容を示す情報を、前記表示部に表示する、
請求項６から１２のいずれか１項に記載の制御ケーブル管理装置。
【請求項１４】
コンピュータを、複数の盤を表す複数の第１の画像と、前記複数の第１の画像のうち、複数のケーブル心線を接続する１対の盤を表す１対の第１の画像ごとに、該１対の第１の画像を接続する１つの第２の画像と、を表示部に表示する表示制御手段として機能させるための制御ケーブル管理プログラム。
【発明の詳細な説明】
【技術分野】
【０００１】
本発明の実施形態は、制御ケーブル管理装置、および制御ケーブル管理プログラムに関する。
【背景技術】
【０００２】
従来から、電気所では電力機器や制御盤（以下、盤と称する）などが多数設置され、これらの盤間に多数の制御ケーブルが敷設されている。制御ケーブルは複数のケーブル心線が束になっており、盤に設けられた個々の端子とケーブル心線とが接続することにより、複数の盤間が接続される。従来技術においては、制御ケーブルは、例えば、紙等に記載された「ケーブル接続図」等によって管理されている。
【０００３】
また、管理者によるケーブル接続図の作成を支援する装置またはプログラム等の技術が知られている。例えば、ケーブル接続図の作成に使用される情報の入力画面を提供する技術が開示されている。
【先行技術文献】
【特許文献】
【０００４】
【特許文献１】特許第４１０１７１３号公報
【発明の概要】
【発明が解決しようとする課題】
【０００５】
しかしながら、従来技術においては、複数の盤間の制御ケーブルまたはケーブル心線の接続関係を、管理者が把握することが困難な場合があった。
【課題を解決するための手段】
【０００６】
実施形態の制御ケーブル管理装置は、複数の盤を表す複数の第１の画像と、複数の第１の画像のうち、複数のケーブル心線を接続する１対の盤を表す１対の第１の画像ごとに、該１対の第１の画像を接続する１つの第２の画像と、を表示部に表示する表示制御部を備える。
【図面の簡単な説明】
【０００７】
【図１】図１は、電気所内の制御ケーブルの敷設状態の一例を示す図である。
【図２】図２は、第１の実施形態に係る制御ケーブル管理装置の機能的構成の一例を示すブロック図である。
【図３】図３は、第１の実施形態に係るデータファイルの一例を示す図である。
【図４】図４は、第１の実施形態に係る第１の表示対象データの一例を示す図である。
【図５】図５は、第１の実施形態に係るディスプレイに表示された第１の画面の一例を示す図である。
【図６】図６は、第１の実施形態に係る第１の画面の他の一例を示す図である。
【図７】図７は、第１の実施形態に係る第１の画面のレイアウト変更の一例を示す図である。
【図８】図８は、第１の実施形態に係る制御ケーブル管理処理の流れの一例を示すフローチャートである。
【図９】図９は、第１の実施形態に係る第１の画面のレイアウトのバリエーションの一例を示す図である。
【図１０】図１０は、第２の実施形態に係る第２の表示対象データの一例を示す図である。
【図１１】図１１は、第２の実施形態に係るディスプレイに表示された第２の画面の一例を示す図である。
【図１２】図１２は、第２の実施形態に係る制御ケーブル管理処理の流れの一例を示すフローチャートである。
【図１３】図１３は、第３の実施形態に係る第３の表示対象データの一例を示す図である。
【図１４】図１４は、第３の実施形態に係るディスプレイに表示された第３の画面９０３の一例を示す図である。
【図１５】図１５は、第３の実施形態に係る制御ケーブル管理処理の流れの一例を示すフローチャートである。
【発明を実施するための形態】
【０００８】
（第１の実施形態）
図１は、電気所２内の制御ケーブル６ａ，６ｂ（以下、特に区別しない場合には単に制御ケーブル６という）の敷設状態の一例を示す図である。図１に示すように、電気所２には複数の盤３ａ，３ｂ（以下、特に区別しない場合には単に盤３という）が設置され、これらの盤３間に１または複数の制御ケーブル６が敷設されている。
【０００９】
電気所２は、電力の流れを制御する施設であり、例えば、発電所や変電所等である。
【００１０】
また、盤３は、電力機器、変電機器、または制御盤等である。盤３には、少なくとも１つの端子台４ａ〜４ｄ（以下、特に区別しない場合には単に端子台４という）が設けられる。各端子台４には、盤３の内部の電気回路と盤３の外部の電気回路とのインターフェースのための複数の端子５ａ〜５ｎ，５ａａ〜５ａｎ，５ｂａ〜５ｂｎ，５ｃａ〜５ｃｎ（以下、特に区別しない場合には単に端子５という）が設けられる。
【００１１】
また、制御ケーブル６は、複数のケーブル心線６１ａ〜６１ｅ（以下、特に区別しない場合には単にケーブル心線６１という）の束である。各ケーブル心線６１は、２つの異なる端子５に接続される。ケーブル心線６１は、同じ端子台４の異なる端子５間に渡るように接続されることもある。このようなケーブル心線６１を渡り線という。なお、ケーブル心線６１は、単に心線ともいうし、芯線ともいう。
【００１２】
各端子５には、１または複数のケーブル心線６１が接続可能である。本実施形態においては、１つの端子５あたり最大２本のケーブル心線６１が接続可能であるものとする。また、全ての端子５に常にケーブル心線６１が接続されているとは限らない。ケーブル心線６１が接続されていない端子５を、空き端子という。
【００１３】
本実施形態の制御ケーブル管理装置は、このような電気所２内に敷設された制御ケーブル６、およびケーブル心線６１の接続関係を管理する。本実施形態の制御ケーブル管理装置１は、例えば、電気所２の管理者等が既に敷設された制御ケーブル６の接続関係を登録する場合、または、電気所２にこれから敷設予定の制御ケーブル６の接続関係を計画する場合等に使用される。
【００１４】
図２は、本実施形態に係る制御ケーブル管理装置１の機能的構成の一例を示すブロック図である。図２に示すように、本実施形態の制御ケーブル管理装置１は、取得部１１と、特定部１２と、表示制御部１３と、受付部１４と、記憶部１５とを備える。
【００１５】
また、本実施形態の制御ケーブル管理装置１は、ＣＰＵ（Central  Processing  Unit）などの制御装置と、ＲＯＭ（Read  Only  Memory）やＲＡＭ（Random  Access  Memory）などの記憶装置と、ＨＤＤ（Hard  Disk  Drive）、ＣＤ（Compact  Disc）ドライブ装置などの外部記憶装置と、液晶ディスプレイまたは有機ＥＬディスプレイ等の表示装置と、キーボードやマウスなどの入力装置を備えており、通常のコンピュータを利用したハードウェア構成となっている。なお、本実施形態においては、以下、液晶ディスプレイまたは有機ＥＬディスプレイ等の表示装置を単にディスプレイという。ディスプレイは、本実施形態における表示部の一例である。
【００１６】
また、制御ケーブル管理装置１は、例えば、インターネット等のネットワークを介して外部装置と接続可能であるものする。
【００１７】
図２に示す記憶部１５は、例えば、ＨＤＤ等によって実現される。
【００１８】
取得部１１は、外部装置からデータファイルを取得する。取得部１１は、取得したデータファイルを記憶部１５に保存する。
【００１９】
データファイルは、複数の盤３の各々の識別情報と、複数の盤３の各々に設けられた１または複数の端子台４の各々の識別情報と、１または複数の端子台４の各々に設けられた複数の端子５の各々の識別情報と、複数の端子５に接続された１または複数のケーブル心線６１の各々の識別情報とが対応付けられている。データファイルは、本実施形態における接続情報の一例である。
【００２０】
図３は、本実施形態に係るデータファイル７００の一例を示す図である。図３に示すデータファイル７００には、ある１つの電気所２における制御ケーブル６の接続関係が登録されている。図３に示すように、データファイル７００は、盤名称と、端子台名称と、端子番号と、使用用途と、ケーブルキー１と、ケーブルキー２とが対応付けられている。
【００２１】
盤名称は、盤３の識別情報の一例である。また、端子台名称は、端子台４の識別情報の一例である。端子番号は、端子５の識別情報の一例である。
【００２２】
盤名称、端子台名称、および端子番号の組み合わせによって、ある１つの電気所２における１つの端子５が特定可能である。データファイル７００は、ある１つの電気所２における複数の端子５の各々に対して、該端子５の使用用途と、該端子５に接続されたケーブル心線６１の識別情報とを１行で表した表となっている。
【００２３】
ケーブルキー１と、ケーブルキー２とは、ケーブル心線６１を特定可能な識別情報の一例である。１つの端子５あたり最大２本のケーブル心線６１が接続可能であるため、１つの端子番号に対してケーブルキー１とケーブルキー２とが対応付けられる。以下、ケーブルキー１とケーブルキー２とを特に区別しない場合には、単にケーブルキーという。
【００２４】
図３に示す例では、ケーブルキーは、制御ケーブル６の名称と該制御ケーブル６に含まれるケーブル心線６１の名称とが組み合わされた文字列である。
【００２５】
例えば、図３において、“ケーブル１心線１”というケーブルキーは、盤名称“Ａ”の盤３に設けられた端子台名称“ＴＢ１”の端子台４における端子番号“１”の端子５と、盤名称“Ｂ”の盤３に設けられた端子台名称“ＴＢ２”の端子台４における端子番号“１”の端子５との間を接続するケーブル心線６１を示す。また、ケーブルキー１とケーブルキー２のいずれも入力されていない行の端子５は、ケーブル心線６１が接続されていない空き端子である。
【００２６】
なお、制御ケーブル６の名称“ケーブル１”とケーブル心線６１の名称“心線１”とが個別の項目としてデータファイル７００に登録されても良い。この場合は、これらの項目の組み合わせがケーブルキーとなる。
【００２７】
使用用途は、端子５に接続される電気回路の用途を意味している。端子５に接続される電気回路は、例えば、電源回路（交流電源または直流電源の回路）、制御回路、主回路の電圧や電流を計測する回路、故障を通知する回路等がある。制御回路は、例えば、電気所における遮断器等の開閉を制御する回路等である。本実施形態においては、一例として、電源回路と接続する端子５の使用用途を“電源”、制御回路と接続する端子５の使用用途を“制御”、主回路の電圧や電流を計測する回路と接続する端子５の使用用途を“ＶＴ／ＣＴ”、故障を通知する回路と接続する端子５の使用用途を“３０Ｆ”、その他の回路と接続する端子５の使用用途を“その他”とする。
【００２８】
また、使用用途は、基本的に、１本のケーブル心線６１が接続する端子５間で一致するものとする。このため、ケーブル心線６１が接続する端子５の使用用途は、「ケーブル心線６１の使用用途」ともいう。なお、使用用途は、単に「用途」ともいう。
【００２９】
なお、データファイル７００のレイアウトおよび登録内容は図３に示す例に限定されるものではない。例えば、データファイル７００は、端子５、制御ケーブル６、またはケーブル心線６１に関する他の情報がさらに対応付けられても良い。制御ケーブル６に関する情報の一例としては、ケーブル長等がある。
【００３０】
また、本実施形態においては、取得部１１が取得するデータファイル７００は、１つの電気所２に敷設された制御ケーブル６の接続情報である。１つの電気所２に対して１つのデータファイル７００が登録されても良いし、１つの電気所２の情報が複数のデータファイル７００に分けて登録されても良い。
【００３１】
また、本実施形態においては、データファイル７００は、例えば、電気所２の管理者等によって生成されるものとする。なお、ケーブル接続情報の取得元は外部装置に限定されるものではない。例えば、取得部１１は、ＣＤやＵＳＢメモリ等の記憶媒体からケーブル接続情報を取得しても良いし、制御ケーブル管理装置１のディスプレイ等に表示された入力画面から、ケーブル接続情報を取得しても良い。
【００３２】
図２に戻り、特定部１２は、データファイル７００に基づいて、１または複数のケーブル心線６１の各々の両端にそれぞれ接続する端子５と、該端子５が設けられた盤３とを特定する。より具体的には、特定部１２は、データファイル７００に登録された１つの電気所２分の全てのケーブル心線６１に対して、接続元の端子５と接続先の端子５とを特定する。また、特定部１２は、特定した接続元の端子５と接続先の端子５のそれぞれが設けられた端子台４の端子台名称と、盤３の盤名称とをデータファイル７００から特定する。特定部１２は、特定した結果を示す第１の表示対象データを生成する。第１の表示対象データは、ディスプレイへの表示対象となるデータである。
【００３３】
図４は、本実施形態に係る第１の表示対象データ８０１の一例を示す図である。図４では、ケーブル心線６１の接続元を“Ｆｒｏｍ”、接続先を“Ｔｏ”として表示している。図４に示すように、第１の表示対象データ８０１は、ケーブルキーごとに、当該ケーブルキーが示すケーブル心線６１の接続元となる盤３の盤名称、端子台４の端子台名称、端子５の端子番号、該端子５の使用用途、接続先となる盤３の盤名称、端子台４の端子台名称、端子５の端子番号、および該端子５の使用用途が対応付けられている。
【００３４】
特定部１２は、データファイル７００に登録されたケーブルキー１とケーブルキー２とを統合して、昇順にソートすることにより、第１の表示対象データ８０１におけるケーブルキーを生成する。
【００３５】
また、特定部１２は、ケーブル心線６１に接続する２つの端子５のうち、端子５が設けられた盤３の盤名称のアルファベット順が先の端子５を“Ｆｒｏｍ”、アルファベット順が後の端子５を“Ｔｏ”としている。また、特定部１２は、同じ端子台４内の渡り線については、端子番号が小さい端子５を“Ｆｒｏｍ”、端子番号が大きい端子５を“Ｔｏ”としている。なお、図４に示す接続の前後関係の定義は一例であり、これに限定されるものではない。
【００３６】
また、特定部１２は、データファイル７００に登録されたケーブル心線６１のうち、端子５との接続関係、または使用用途に不整合があるケーブル心線６１を、ディスプレイへの表示対象から除外する。
【００３７】
端子５との接続関係に不整合があるケーブル心線６１とは、接続対象の端子５が１つしか登録されていないケーブル心線６１、または、接続対象の端子５が３つ以上登録されているケーブル心線６１である。例えば、図３に示したデータファイル７００では、盤名称“Ａ”で端子台名称“ＴＢ１”で端子番号が“６”の端子５に、“ケーブル４心線２”のケーブル心線６１が接続すると登録されている。しかしながら、データファイル７００には、“ケーブル４心線２”のケーブル心線６１のもう１つの端部と接続する端子５が登録されていない。このため、特定部１２は、“ケーブル４心線２”のケーブル心線６１は、端子５との接続関係に不整合があると判断し、“ケーブル４心線２”を第１の表示対象データ８０１から除外する。
【００３８】
また、使用用途に不整合があるケーブル心線６１とは、接続元の端子５の使用用途と、接続先の端子５の使用用途とが一致しないケーブル心線６１である。例えば、図３に示したデータファイル７００では、“ケーブル１心線２”が接続する２つの端子５の一方の使用用途は“電源”であるが、もう一方の使用用途は“その他”あり、２つの使用用途が一致しない。このため、特定部１２は、“ケーブル１心線２”のケーブル心線６１は、使用用途に不整合があると判断し、“ケーブル１心線２”を第１の表示対象データ８０１から除外する。
【００３９】
特定部１２は、生成した第１の表示対象データ８０１を表示制御部１３に送出する。また、特定部１２は、生成した第１の表示対象データ８０１を記憶部１５に保存しても良い。
【００４０】
図２に戻り、表示制御部１３は、特定部１２によって生成された第１の表示対象データ８０１に基づいて、複数の盤３間の制御ケーブル６またはケーブル心線６１の接続関係を表す画面をディスプレイに表示する。例えば、表示制御部１３は、複数の盤３を表す複数の盤アイコンと、複数の盤アイコンのうち、複数のケーブル心線６１を接続する１対の盤３を表す１対の盤アイコンごとに、該１対の盤アイコンを接続する１本の線画像とをディスプレイに表示する。本実施形態においては、複数の盤アイコンと、複数の盤アイコンのうち、複数のケーブル心線６１を接続する１対の盤３を表す１対の盤アイコンごとに、該１対の盤アイコンを接続する１本の線画像とを含む画面を第１の画面という。第１の画面に表示される盤アイコンは、本実施形態における第１の画像の一例である。また、第１の画面に表示される線画像は、本実施形態における第２の画像の一例である。なお、盤アイコンは、盤３のシンボルともいう。なお、複数のケーブル心線６１を接続する１対の盤３は、複数のケーブル心線６１によって接続される１対の盤３ともいう。
【００４１】
また、表示制御部１３は、複数の盤３を接続する複数のケーブル心線６１のうち、接続する複数の盤３の組み合わせが同じ複数のケーブル心線６１がある場合には、接続する複数の盤３の組み合わせごとに、１本の線画像を第１の画面上に表示する。つまり、表示制御部１３は、第１の表示対象データ８０１のうち、“Ｆｒｏｍ”と“Ｔｏ”の盤名称が共通するケーブルキーを、１本の線画像に集約して表示する。
【００４２】
図５は、本実施形態に係るディスプレイ１１０に表示された第１の画面９０１の一例を示す図である。図５に示す例では、第１の画面９０１には、盤名称“Ａ”の盤３を表す盤アイコン９１ａと、盤名称“Ｂ”の盤３を表す盤アイコン９１ｂと、盤アイコン９１ａと盤アイコン９１ｂとを接続する１または複数のケーブル心線６１を表す線画像９２ａが表示される。以下、個々の盤アイコン９１ａ，９１ｂを特に区別しない場合には、単に盤アイコン９１という。図５においては、盤名称“Ａ”の盤３と盤名称“Ｂ”の盤３とが複数のケーブル心線６１を接続する１対の盤３である。また、盤アイコン９１ａと盤アイコン９１ｂとが、１対の盤３を表す１対の盤アイコン９１である。
【００４３】
また、表示制御部１３は、第１の画面９０１上に、使用用途の選択ボタン９２０ａ〜９２０ｅ（以下、特に区別しない場合は単に選択ボタン９２０という）を表示する。選択ボタン９２０は、ユーザによる表示対象のケーブル心線６１の使用用途の選択を受け付け可能なアイコンである。なお、本実施形態における制御ケーブル管理装置１のユーザは、例えば、電気所２の管理者であるが、これに限定されるものではない。
【００４４】
表示制御部１３は、後述の受付部１４から、ユーザによって選択された使用用途を取得する。表示制御部１３は、選択された使用用途の端子５と接続するケーブル心線６１を表す線画像９２ａをディスプレイ１１０に表示し、選択されていない使用用途の端子５と接続するケーブル心線６１を表す線画像９２ａをディスプレイ１１０に表示しない。また、表示制御部１３は、選択された使用用途のケーブル心線６１と接続する盤３を表す盤アイコン９１を表示し、選択された使用用途のケーブル心線６１と接続しない盤３を表す盤アイコン９１は表示しない。
【００４５】
表示制御部１３は、初期表示においては、第１の表示対象データ８０１をいずれかの使用用途でフィルタした結果を第１の画面９０１上に表示する。図５に示す例では、表示制御部１３は、使用用途が“電源”の端子５に接続するケーブル心線６１を表示する。このため、線画像９２ａは、盤名称“Ａ”の盤３と盤名称“Ｂ”の盤３とを接続する１または複数のケーブル心線６１のうち、使用用途が“電源”の１または複数のケーブル心線６１を表す。また、表示制御部１３は、図５に示す例においては、渡り線は非表示としているが、渡り線も表示しても良い。
【００４６】
図６は、本実施形態に係る第１の画面９０１の他の一例を示す図である。図６に示す例では、使用用途“制御”を示す選択ボタン９２０ｂが選択されている。この場合、表示制御部１３は、第１の表示対象データ８０１に含まれるケーブルキーのうち、使用用途“制御”に対応付けられたケーブルキーによって特定されるケーブル心線６１を表す線画像９２ｂ，９２ｃを第１の画面９０１上に表示する。以下、個々の線画像９２ａ〜９２ｃを特に区別しない場合には、単に線画像９２という。
【００４７】
また、使用用途“制御”のケーブル心線６１は盤名称“Ｃ”の盤３にも接続しているため、図６では、図５では表示されていなかった盤名称“Ｃ”の盤３を表す盤アイコン９１ｃが表示される。図６においては、盤アイコン９１ａと盤アイコン９１ｂとが、１対の盤３を表す１対の盤アイコン９１である。また、盤アイコン９１ａと盤アイコン９１ｃともまた、１対の盤３を表す１対の盤アイコン９１である。図６に示すように、表示制御部１３は、１対の盤アイコン９１ごとに、１本の線画像９２を第１の画面９０１に表示する。
【００４８】
また、表示制御部１３は、第１の画面９０１上のいずれかの盤アイコン９１の位置を変更する操作がユーザによって実行された場合に、位置の変更操作をされた盤アイコン９１と他の盤アイコン９１との間の線画像９２を介した接続を維持した状態で、ディスプレイ１１０上の盤アイコン９１の位置を変更する。
【００４９】
例えば、表示制御部１３は、受付部１４から、第１の画面９０１上で移動する盤アイコン９１の位置情報を随時取得し、第１の表示対象データ８０１に基づいて、盤アイコン９１の移動中においても盤アイコン９１の外縁と線画像９２の端部とが接触し続けるように、線画像９２を伸長または短縮する。
【００５０】
図７は、本実施形態に係る第１の画面９０１のレイアウト変更の一例を示す図である。図６では第１の画面９０１の左側に位置した盤アイコン９１ａが、図７では、第１の画面９０１の中心に移動している。また、図７に示す盤アイコン９１ａは、図６と同様に、線画像９２ｂを介して盤アイコン９１ｂと接続し、線画像９２ｃを介して盤アイコン９１ｃと接続している。また、表示制御部１３は、ユーザによって移動された盤アイコン９１以外の盤アイコン９１の位置も変更することにより、第１の画面９０１全体のレイアウトを調整しても良い。
【００５１】
また、表示制御部１３は、移動後の盤アイコン９１と他の盤アイコン９１の位置関係に応じて、盤アイコン９１の外縁における線画像９２と接触する位置を変更しても良い。例えば、図６に示す移動前の例では、盤アイコン９１ａの外縁の右側と線画像９２ｂの端部が接触しているが、図７に示すように、移動後は、盤アイコン９１ａ外縁の左側と線画像９２ｂの端部が接触している。
【００５２】
図２に戻り、受付部１４は、ユーザによる各種の操作を受け付ける。例えば、受付部１４は、ディスプレイ１１０上のいずれかの盤アイコン９１の位置を変更する操作を受け付ける。盤アイコン９１の位置を変更する操作は、例えば、ユーザがマウス等で盤アイコン９１をドラッグする操作である。また、受付部１４は、ケーブル心線６１の使用用途を選択する操作を受け付ける。ケーブル心線６１の使用用途を選択する操作は、例えば、ユーザがマウス等でいずれかの選択ボタン９２０をクリックする操作等である。受付部１４は、受け付けた操作内容を、表示制御部１３に通知する。
【００５３】
また、受付部１４は、第１の画面９０１の表示を要求する操作を受け付ける。受付部１４は、当該操作を受け付けた場合に、特定部１２に、当該操作を受け付けたことを通知する。
【００５４】
また、受付部１４は、第１の画面９０１の表示の終了を指示する終了操作を受け付ける。受付部１４は、当該操作を受け付けた場合に、第１の画面９０１の表示の終了を、表示制御部１３に通知する。
【００５５】
次に、上記のように構成された本実施形態の制御ケーブル管理装置１によって実行される制御ケーブル管理処理の流れについて説明する。
【００５６】
図８は、本実施形態に係る制御ケーブル管理処理の流れの一例を示すフローチャートである。
【００５７】
まず、取得部１１は、データファイル７００を取得する（Ｓ１）。取得部１１は、取得したデータファイル７００を記憶部１５に保存する。
【００５８】
受付部１４は、第１の画面９０１の表示を要求するユーザの操作を受け付けたか否かを判断する（Ｓ２）。受付部１４は、第１の画面９０１の表示を要求する操作を受け付けていないと判断した場合は（Ｓ２“Ｎｏ”）、Ｓ２の処理を繰り返す。
【００５９】
受付部１４は、第１の画面９０１の表示を要求する操作を受け付けたと判断した場合は（Ｓ２“Ｙｅｓ”）、特定部１２に、当該操作を受け付けたことを通知する。この場合、
特定部１２は、データファイル７００に登録されたケーブルキーごとに、ケーブル心線６１の接続元と接続先とを特定する（Ｓ３）。より具体的には、特定部１２は、図４に示したように、ケーブルキーごとに、当該ケーブルキーが示すケーブル心線６１の接続元となる盤３の盤名称、端子台４の端子台名称、端子５の端子番号、該端子５の使用用途、接続先となる盤３の盤名称、端子台４の端子台名称、端子５の端子番号、および該端子５の使用用途を特定する。
【００６０】
次に、特定部１２は、Ｓ３の特定結果から端子５との接続関係または使用用途に不整合のないケーブル心線６１を表示対象として特定し、第１の表示対象データ８０１を生成する（Ｓ４）。特定部１２は、生成した第１の表示対象データ８０１を表示制御部１３に送出する。
【００６１】
次に、表示制御部１３は、第１の表示対象データ８０１に基づいて、第１の画面９０１をディスプレイ１１０に表示する（Ｓ５）。表示制御部１３は、初期表示においては、第１の表示対象データ８０１のうち、例えば、使用用途“電源”に対応付けられたケーブルキーのみを表示する。また、表示制御部１３は、複数の第１の表示対象データ８０１のうち、“Ｆｒｏｍ”と“Ｔｏ”の盤名称が共通するケーブルキーを、１本の線画像９２に集約して表示する。
【００６２】
そして、受付部１４は、使用用途を選択するユーザの操作を受け付けたか否かを判断する（Ｓ６）。受付部１４は、使用用途を選択する操作を受け付けていないと判断した場合は（Ｓ６“Ｎｏ”）、Ｓ８の処理に進む。
【００６３】
受付部１４は、使用用途を選択する操作を受け付けたと判断した場合は（Ｓ６“Ｙｅｓ”）、選択された使用用途を、表示制御部１３に通知する。この場合、表示制御部１３は、選択された使用用途のケーブル心線６１を表す線画像９２、および選択された使用用途のケーブル心線６１と接続する盤３を表す盤アイコン９１を第１の画面９０１に表示する（Ｓ７）。また、この場合、表示制御部１３は、選択されていない使用用途のケーブル心線６１を表す線画像９２と、選択された使用用途のケーブル心線６１と接続しない盤３を表す盤アイコン９１を第１の画面９０１に表示しない。
【００６４】
次に、受付部１４は、盤アイコン９１の位置を移動するユーザの操作を受け付けたか否かを判断する（Ｓ８）。
【００６５】
受付部１４は、盤アイコン９１の位置を移動する操作を受け付けたと判断した場合は（Ｓ８“Ｙｅｓ”）、移動された盤アイコン９１の位置を、表示制御部１３に通知する。
【００６６】
次に、表示制御部１３は、移動された盤アイコン９１と他の盤アイコン９１との接続関係を維持したまま、第１の画面９０１のレイアウトを変更する（Ｓ９）。
【００６７】
より具体的には、表示制御部１３は、位置の変更操作をされた盤アイコン９１と他の盤アイコン９１との間の線画像９２を介した接続を維持した状態で、第１の画面９０１上の盤アイコン９１および線画像９２の位置を変更する。
【００６８】
また、受付部１４は、盤アイコン９１の位置を移動する操作を受け付けていないと判断した場合は（Ｓ８“Ｎｏ”）、Ｓ９の処理を実行せずに、Ｓ１０の処理に進む。
【００６９】
そして、受付部１４は、ユーザから第１の画面９０１の表示の終了を指示する終了操作を受け付けたか否かを判断する（Ｓ１０）。受付部１４は、終了操作を受け付けていないと判断した場合は（Ｓ１０“Ｎｏ”）、Ｓ６の処理に戻り、第１の画面９０１がディスプレイ１１０に表示された状態で、ユーザの操作を待機する。
【００７０】
また、受付部１４は、例えば、ユーザが第１の画面９０１上の「閉じる」ボタン（不図示）等を押下したことを受け付けた場合に、終了操作を受け付けたと判断する（Ｓ１０“Ｙｅｓ”）。この場合、受付部１４は、表示制御部１３に第１の画面９０１の表示の終了を通知する。ここで、表示制御部１３は第１の画面９０１の表示を終了し、このフローチャートの処理は終了する。なお、第１の画面９０１の表示の終了のトリガは、これに限定されるものではない。
【００７１】
このように、本実施形態の制御ケーブル管理装置１は、複数の盤３を表す複数の盤アイコン９１と、複数の盤アイコン９１のうち、複数のケーブル心線６１を接続する１対の盤３を表す１対の盤アイコン９１ごとに、該１対の盤アイコン９１を接続する１本の線画像９２とをディスプレイ１１０に表示する。このため、本実施形態の制御ケーブル管理装置１によれば、盤３間を接続する複数のケーブル心線６１を、１対の盤３ごとに集約して表示するため、複数の盤３間の制御ケーブル６または個々の制御ケーブル６に含まれるケーブル心線６１の接続関係を簡潔に表示することができる。このため、本実施形態の制御ケーブル管理装置１によれば、複数の盤３間の制御ケーブル６または個々の制御ケーブル６に含まれるケーブル心線６１の接続関係を、管理者が容易に把握することができる。
【００７２】
例えば、電気所２内には、１００以上の数の盤３が設けられる場合があり、数千本の制御ケーブル６が敷設される場合がある。さらに、各制御ケーブル６には複数のケーブル心線６１が含まれるため、接続関係が非常に複雑になる場合がある。このような場合に、例えば、個々の端子ごとに接続するケーブル心線が表示された一覧からでは、制御ケーブルの接続関係の全体像を管理者等が把握することが困難な場合がある。これに対して、本実施形態の制御ケーブル管理装置１は、各端子５に接続するケーブル心線６１を、盤３のレベルで集約した線画像９２を表示するため、多数のケーブル心線６１およびケーブル心線６１をまとめる制御ケーブル６の接続関係の概要を、シンプルに可視化することができる。
【００７３】
また、本実施形態の制御ケーブル管理装置１は、複数の盤アイコン９１のうちのいずれかの位置を変更する操作を受け付けた場合に、該盤アイコン９１と他の盤アイコン９１との間の線画像９２を介した接続を維持した状態で、第１の画面９０１上の盤アイコン９１の位置を変更する。このため、本実施形態の制御ケーブル管理装置１によれば、ユーザが、第１の画面９０１における盤アイコン９１の位置を見やすい位置に変更することができ、かつ、盤アイコン９１の位置の変更の際に他の盤アイコン９１との間の接続関係が断絶しないため、ユーザにとっての利便性を向上させることができる。
【００７４】
また、本実施形態の制御ケーブル管理装置１は、選択された使用用途のケーブル心線６１を表す１または複数の線画像９２を第１の画面９０１に表示し、選択されていない使用用途のケーブル心線６１を表す１または複数の線画像９２を第１の画面９０１に表示しない。このため、本実施形態の制御ケーブル管理装置１によれば、ユーザは多数のケーブル心線６１のうち、確認対象の使用用途のケーブル心線６１の盤３間の接続関係を、容易に確認することができる。
【００７５】
また、本実施形態の制御ケーブル管理装置１は、複数の盤３の各々の識別情報と、複数の盤３の各々に設けられた１または複数の端子台４の各々の識別情報と、１または複数の端子台４の各々に設けられた複数の端子５の各々の識別情報と、複数の端子５に接続された１または複数のケーブル心線６１の各々の識別情報とが対応付けられたデータファイル７００に基づいて、１または複数のケーブル心線６１の各々の両端にそれぞれ接続する端子５と、該端子５が設けられた盤３とを特定し、特定結果に基づいて、複数の盤アイコン９１と、１または複数の線画像９２とを第１の画面９０１に表示する。このため、本実施形態の制御ケーブル管理装置１によれば、端子５基準で定義されたデータファイル７００から、ケーブル心線６１を基準とした接続関係を特定して、第１の画面９０１に表示することができる。
【００７６】
一般に、電気所２の管理者等は、端子５を基準として、該端子５に接続するケーブル心線６１の情報を管理している。このような管理により、管理者等は、例えば、いずれの端子５が空き端子であることが把握しやすい。これに対して、制御ケーブル管理装置１がケーブル心線６１を基準とした接続完成を特定することで、第１の画面９０１のように、接続元の盤３と接続先の盤３の組み合わせが同じケーブル心線６１を集約して表示することができる。つまり、本実施形態の制御ケーブル管理装置１は、管理者等にとって作成が容易な端子５を基準としたレイアウトで生成されたデータファイル７００を使用して、複数の盤アイコン９１と、接続元の盤３と接続先の盤３の組み合わせ単位で集約された１または複数の線画像９２とを第１の画面９０１に表示することができる。
【００７７】
また、本実施形態のデータファイル７００は、さらに、１または複数のケーブル心線６１の各々の使用用途が対応付けられ、本実施形態の制御ケーブル管理装置１は、データファイル７００に登録された１または複数のケーブル心線６１のうち、端子５との接続関係、または使用用途に不整合があるケーブル心線６１を、第１の画面９０１への表示対象から除外する。このため、本実施形態の制御ケーブル管理装置１は、整合性が確認された接続関係を第１の画面９０１に表示することにより、シンプルでわかりやすい表示をすることができる。
【００７８】
なお、第１の画面９０１のレイアウトは、図５〜７に示した例に限定されるものではない。例えば、図９は、第１の実施形態に係る第１の画面９０１のレイアウトのバリエーションの一例を示す図である。図９では、互いに接続する盤アイコン９１ｄ〜９１ｆと盤アイコン９１ｇ〜９１ｉとがそれぞれ縦の列で表示されている。
【００７９】
なお、本実施形態においては、第１の画面９０１では、いずれか１つの使用用途のケーブル心線６１を表示対象としたが、全ての使用用途のケーブル心線６１を第１の画面９０１の表示対象としても良い。また、本実施形態においては、線画像９２を第２の画像の例としたが、第２の画像の表示態様は線画像に限定されるものではなく、帯状の画像または長方形の画像等であっても良い。
【００８０】
また、本実施形態においては、取得部１１が取得するデータファイル７００は、１つの電気所２分であるものとしたが、取得部１１は、複数の電気所２のデータファイル７００を取得しても良い。当該構成を採用する場合は、表示対象の電気所２をユーザが指定可能であっても良い。
【００８１】
なお、本実施形態においては、表示制御部１３は、ケーブル心線６１が同じ制御ケーブル６に含まれるか否かに関わりなく、接続元の盤３と接続先の盤３の組み合わせが同じケーブル心線６１を集約して表示したが、さらに、制御ケーブル６ごとに分けて表示しても良い。
【００８２】
（第２の実施形態）
上述の第１の実施形態では、制御ケーブル管理装置１は、盤３のレベルで集約されたケーブル心線６１の接続関係を表示していた。この第２の実施形態では、ユーザがいずれのかの盤３について詳細な表示を所望した場合に、選択された盤３に関して、第１の実施形態よりも詳細なケーブル心線６１の接続関係を表示する。
【００８３】
本実施形態における制御ケーブル管理装置１は、図２で示した第１の実施形態と同様に、取得部１１と、特定部１２と、表示制御部１３と、受付部１４と、記憶部１５とを備える。
【００８４】
本実施形態の取得部１１は、第１の実施形態と同様の機能を備える。
【００８５】
本実施形態の受付部１４は、第１の実施形態と同様の機能を備えた上で、詳細表示対象として１つの盤３を選択するユーザの操作を受け付ける。詳細表示対象として１つの盤３を選択するユーザの操作は、例えば、第１の画面９０１に表示された複数の盤アイコン９１のうちのいずれかを選択する操作である。受付部１４は、詳細表示対象として選択された盤３の盤名称を、特定部１２に通知する。
【００８６】
また、受付部１４は、詳細表示対象として選択された盤３に設けられた１または複数の端子台４のうち、いずれの端子台４の端子５を表示対象とするかについての、ユーザの選択操作を受け付ける。受付部１４は、選択された端子台４の端子台名称を、表示制御部１３に通知する。
【００８７】
また、受付部１４は、詳細表示対象の盤３を変更するユーザの操作を受け付ける。受付部１４は、詳細表示対象の盤３を変更するユーザの操作を受け付けた場合、選択された盤３の盤名称を、特定部１２に通知する。
【００８８】
また、受付部１４は、後述の第２の画面に表示された複数の盤３のうちのいずれかに関する図面の表示を指示する操作を受け付ける。受付部１４は、図面の表示を指示する操作を受け付けた場合、当該操作を受け付けたことを、表示制御部１３に通知する。
【００８９】
盤３に関する図面は、例えば、盤３の端子台４に設けられた端子５と接続する回路の回路図面であるが、これに限定されるものではない。
【００９０】
本実施形態の特定部１２は、第１の実施形態と同様の機能を備えた上で、データファイル７００から、詳細表示対象の盤３の端子５ごとに、該端子５に接続するケーブル心線６１の対向先の盤名称および端子台名称を特定する。対向先の盤３とは、詳細表示対象の盤３の端子５に接続するケーブル心線６１の反対側の一端が接続する他の端子５が設けられた盤３である。対向先の盤３は、相手先の盤３ともいう。また、ケーブル心線６１が渡り線である場合には、対向先の盤３は、詳細表示対象の盤３となる。
【００９１】
図１０は、本実施形態に係る第２の表示対象データ８０２の一例を示す図である。図１０に示すように、第２の表示対象データ８０２は、盤名称と、端子台名称と、端子番号
ごとに、該端子の使用用途と、該端子に接続するケーブル心線６１のケーブルキーと、該ケーブル心線６１が接続する対向先盤名称と、対向先端子台名称と、整合性とが対応付けられている。第２の表示対象データ８０２の盤名称は詳細表示対象の盤３の名称であり、端子台名称は詳細表示対象の盤３に設けられた端子台４の名称、端子番号は詳細表示対象の盤３に設けられた端子５の名称である。
【００９２】
図１０では、詳細表示対象の盤３の複数の端子５ごとに、該端子５に接続するケーブル心線６１に関する情報が１行で表される。また、１つの端子５には２本のケーブル心線６１が接続可能であるため、第２の表示対象データ８０２では、１本目のケーブル心線（ケーブル心線１）のケーブルキー１と、該ケーブル心線６１が接続する対向先盤名称と、対向先端子台名称と、整合性と、２本目のケーブル心線（ケーブル心線２）のケーブルキー２と、該ケーブル心線６１が接続する対向先盤名称と、対向先端子台名称と、整合性とが１行で表される。
【００９３】
また、本実施形態においては、特定部１２は、端子５との接続関係または使用用途に不整合のあるケーブル心線６１も表示対象とする。図１０に示す整合性は、ケーブル心線６１ごとの、不整合の内容である。例えば、特定部１２は、データファイル７００に登録されたケーブル心線６１のうち、詳細表示対象の盤３の端子５と、対向先の端子５の使用用途が一致しないケーブル心線６１は、整合性を“用途不一致”として第２の表示対象データ８０２に登録する。
【００９４】
本実施形態の表示制御部１３は、第１の実施形態と同様の機能を備えた上で、選択された盤アイコン９１が表す盤３を詳細表示対象の盤とする第２の画面を、ディスプレイ１１０に表示する。
【００９５】
図１１は、本実施形態に係るディスプレイ１１０に表示された第２の画面９０２の一例を示す図である。
【００９６】
第２の画面９０２は、複数の盤３のうちのいずれか１つの詳細表示対象の盤を表す拡大盤アイコン９３と、詳細表示対象の盤３に設けられた１または複数の端子台４を表す１または複数の端子台アイコン９４ａ〜９４ｄ（以下、特に区別しない場合には、単に端子台アイコン９４という）と、該１または複数の端子台４の各々に設けられた複数の端子５を表す複数の端子アイコン９５ａ〜９５ｈ（以下、特に区別しない場合には、単に端子アイコン９５という）とを含む。
【００９７】
本実施形態においては、表示制御部１３は、詳細表示対象の盤３に設けられた１または複数の端子台４のうちのいずれか１つの端子台４に設けられた端子５を、端子アイコン９５として表示する。例えば、表示制御部１３は、初期表示においては、端子台名称に含まれる番号が最も小さい“ＴＢ１”の端子台４に設けられた端子５を表す端子アイコン９５を、第２の画面９０２に表示し、他の端子台４に設けられた端子５を表す端子アイコン９５は表示しない。また、表示対象の端子台４を変更する操作、例えば第２の画面９０２上の端子台アイコン９４ｂ〜９４ｄのいずれかをクリック等によって選択するユーザの操作を受付部１４が受け付けた場合、表示制御部１３は、ユーザによって選択された端子台４に受けられた端子５を表す端子アイコン９５を第２の画面９０２に表示する。
【００９８】
また、第２の画面９０２は、詳細表示対象の盤３に設けられた複数の端子５のいずれかに接続された１または複数のケーブル心線６１と接続する１または複数の盤３を表す１または複数の対向先盤アイコン９６ａ〜９６ｃ（以下、特に区別しない場合には、単に対向先盤アイコン９６という）と、対向先の１または複数の盤３に設けられた１または複数の端子台４を表す１または複数の対向先端子台アイコン９７ａ〜９７ｆ（以下、特に区別しない場合には、単に対向先端子台アイコン９７という）とを含む。
【００９９】
詳細表示対象の盤３に設けられた端子５に、同じ盤３に設けられた他の端子５への渡り線が接続されている場合には、図１１に示すように、詳細表示対象の盤３である“盤Ａ”が、対向先盤アイコン９６ａとしても表示される。なお、渡り線の表示態様はこれに限定されるものではなく、拡大盤アイコン９３上で渡り線が表示されても良い。
【０１００】
表示制御部１３は、対向先の盤３については、端子５レベルではなく、端子台４レベルに集約して表示する。また、表示制御部１３は、対向先の盤３に設けられた端子台４のうち、詳細表示対象の盤３に設けられた端子５と接続しない端子台４について、対向先端子台アイコン９７として表示してもよいし、非表示としてもよい。
【０１０１】
また、第２の画面９０２は、詳細表示対象の盤３に設けられた複数の端子５のいずれかと、対向先の１または複数の盤３に設けられた１または複数の端子台４とを接続する１または複数のケーブル心線６１を表す１または複数の線画像９８ａ〜９８ｈ（以下、特に区別しない場合には、単に線画像９８という）を含む。なお、線画像９８を、第１の画面９０１における線画像９２と区別する場合には、線画像９２を集約線画像、線画像９８を詳細線画像としても良い。
【０１０２】
拡大盤アイコン９３は、本実施形態における第３の画像の一例である。また、端子台アイコン９４は、本実施形態における第４の画像の一例である。端子アイコン９５は、本実施形態における第５の画像の一例である。対向先盤アイコン９６は、本実施形態における第６の画像の一例である。対向先端子台アイコン９７は、本実施形態における第７の画像の一例である。線画像９８は、本実施形態における第８の画像の一例である。
【０１０３】
また、表示制御部１３は、第２の画面９０２の初期表示においては、拡大盤アイコン９３を第２の画面９０２の中央に表示し、拡大盤アイコン９３を中心として、対向先の盤３とのケーブル心線６１の接続関係を表示する。
【０１０４】
また、表示制御部１３は、第２の画面９０２上に、使用用途の選択ボタン９２０を表示する。第２の画面９０２においては、表示制御部１３は、第１の画面９０１で表示した使用用途の選択ボタン９２０ａ〜９２０ｅに加えて、全ての使用用途のケーブル心線６１を表示対象とする“全体”の選択ボタン９２０ｆを表示する。表示制御部１３は、第２の画面９０２の初期表示においては、全ての使用用途の線画像９８を表示する。また、表示制御部１３は、使用用途ごとに、線画像９８の表示態様を変更しても良い。例えば、線画像９８は、使用用途ごとに異なる色で表示されても良い。
【０１０５】
また、表示制御部１３は、拡大盤アイコン９３上に、図面表示ボタン９２１ａを表示する。図面表示ボタン９２１ａは、詳細表示対象の盤３に関する図面の表示を指示する操作を受け付け可能なボタンである。表示制御部１３は、例えば、端子台名称ユーザが図面表示ボタン９２１ａを押下すると、詳細表示対象の盤３に関する図面を記憶部１５から取得し、ディスプレイ１１０に表示する。表示制御部１３は、表示対象の図面を、第２の画面９０２上に表示しても良いし、別画面に表示しても良い。
【０１０６】
図１１では、表示制御部１３は、詳細表示対象の盤３を示す拡大盤アイコン９３上にのみ図面表示ボタン９２１ａを表示しているが、対向先盤アイコン９６上にも、当該対向先盤アイコン９６に対応付けられた盤３に関する図面の表示の指示を受け付け可能な図面表示ボタン９２１ａを表示しても良い。
【０１０７】
また、表示制御部１３は、データファイル７００に登録された１または複数のケーブル心線６１の接続関係または用途に不整合がある場合には、不整合の内容を示す情報を第２の画面９０２に表示する。
【０１０８】
図１１に示す例では、端子台名称“ＴＢ１”の端子台４に設けられた端子番号“２”の端子５の使用用途と、当該端子５と接続するケーブル心線６１の対向先の端子５の使用用途とが不一致である。この場合、表示制御部１３は、端子番号“２”の端子５を表す端子アイコン９５ｂの近傍に、不整合の内容“用途不一致”を表示する。また、端子台名称“ＴＢ１”の端子台４に設けられた端子番号“６”の端子５の対向先がデータファイル７００に登録されていないため、表示制御部１３は、端子番号“６”の端子５を表す端子アイコン９５ｇの近傍に、不整合の内容“対向先不明”を表示する。また、表示制御部１３は、不整合のあるケーブル心線６１を表す線画像９８を、不整合のないケーブル心線６１を表す線画像９８とは異なる表示態様で表示しても良い。なお、不整合の内容を示す情報の表示態様、および不整合のあるケーブル心線６１を表す線画像９８の表示態様は、図１１に示す例に限定されるものではない。
【０１０９】
また、本実施形態の記憶部１５は、第１の実施形態と同様の内容に加えて、盤３に関する図面を、盤３の盤名称と対応付けて記憶する。盤３に関する図面は、予め登録されていても良いし、取得部１１がユーザ等の操作に基づいて外部装置から取得して記憶部１５に保存しても良い。
【０１１０】
次に、上記のように構成された本実施形態の制御ケーブル管理装置１によって実行される制御ケーブル管理処理の流れについて説明する。
【０１１１】
図１２は、本実施形態に係る制御ケーブル管理処理の流れの一例を示すフローチャートである。
【０１１２】
Ｓ２００の第１の画面９０１の表示処理は、図８で説明した第１の実施形態における制御ケーブル管理処理と同様の処理である。
【０１１３】
次に、本実施形態の受付部１４は、第１の画面９０１が表示された状態において、詳細表示対象の盤３を選択するユーザの操作を受け付けたか否かを判断する（Ｓ２０１）。受付部１４は、詳細表示対象の盤３を選択するユーザの操作を受け付けていないと判断した場合は（Ｓ２０１“Ｎｏ”）、Ｓ２０１の処理を繰り返す。
【０１１４】
受付部１４は、例えば、第１の画面９０１上で、複数の盤アイコン９１のうちのいずれかがクリックまたはダブルクリック等によって選択された場合に、詳細表示対象として１つの盤３を選択するユーザの操作を受け付けたと判断する（Ｓ２０１“Ｙｅｓ”）。この場合、受付部１４は、詳細表示対象として選択された盤３の盤名称を、特定部１２に通知する。
【０１１５】
次に、特定部１２は、データファイル７００から、詳細表示対象の盤３の端子５ごとに、該端子５に接続するケーブル心線６１の対向先の盤名称および端子台名称を特定する（Ｓ２０２）。
【０１１６】
そして、特定部１２は、詳細表示対象の盤３の端子５に接続するケーブル心線６１のうち、接続関係または使用用途に不整合のあるケーブル心線を特定する（Ｓ２０３）。また、この際、特定部１２は、ケーブル心線６１ごとの、不整合の内容、つまり整合性の内容も特定する。
【０１１７】
そして、特定部１２は、特定した対向先の盤名称および端子台名称、およびケーブル心線６１の整合性に基づいて、第２の表示対象データ８０２を生成する（Ｓ２０４）。特定部１２は、生成した第２の表示対象データ８０２を表示制御部１３に送出する。また、特定部１２は、生成した第２の表示対象データ８０２を記憶部１５に保存しても良い。
【０１１８】
そして、表示制御部１３は、第２の表示対象データ８０２に基づいて、第２の画面９０２をディスプレイ１１０に表示する（Ｓ２０５）。また、表示制御部１３は、第２の表示対象データ８０２に登録された１または複数のケーブル心線６１の接続関係または使用用途に不整合がある場合には、不整合の内容を示す情報を第２の画面９０２に表示する。
【０１１９】
そして、受付部１４は、表示対象の端子台４を選択するユーザの操作を受け付けたか否かを判断する（Ｓ２０６）。受付部１４は、表示対象の端子台４を選択するユーザの操作を受け付けていないと判断した場合は（Ｓ２０６“Ｎｏ”）、Ｓ２０８の処理に進む。
【０１２０】
受付部１４は、例えば、第２の画面９０２上で、現在、端子アイコン９５が表示されている“ＴＢ１”の端子台アイコン９４ａ以外の端子台アイコン９４ｂ〜９４ｄのいずれかがユーザによって選択されたことを受け付けた場合、表示対象の端子台４を選択するユーザの操作を受け付けたと判断する（Ｓ２０６“Ｙｅｓ”）。この場合、表示制御部１３は、選択された端子台４に設けられた端子５を表す端子アイコン９５を第２の画面９０２に表示する（Ｓ２０７）。また、この場合、表示制御部１３は、初期表示で表示していた“ＴＢ１”の端子台４に設けられた端子５を表す端子アイコン９５を、非表示にする。
【０１２１】
次に、受付部１４は、使用用途を選択するユーザの操作を受け付けたか否かを判断する（Ｓ２０８）。受付部１４は、使用用途を選択する操作を受け付けていないと判断した場合は（Ｓ２０８“Ｎｏ”）、Ｓ２１０の処理に進む。
【０１２２】
受付部１４は、使用用途を選択する操作を受け付けたと判断した場合は（Ｓ２０８“Ｙｅｓ”）、選択された使用用途を、表示制御部１３に通知する。この場合、表示制御部１３は、選択された使用用途のケーブル心線６１を表す線画像９８、および選択された使用用途のケーブル心線６１と接続する対向先の盤３を表す対向先盤アイコン９６と、対向先の盤３に設けられた端子台を表す対向先端子台アイコン９７とを第２の画面９０２に表示する（Ｓ２０９）。
【０１２３】
次に、受付部１４は、拡大盤アイコン９３または対向先盤アイコン９６の位置を移動するユーザの操作を受け付けたか否かを判断する（Ｓ２１０）。
【０１２４】
受付部１４は、拡大盤アイコン９３または対向先盤アイコン９６の位置を移動する操作を受け付けたと判断した場合は（Ｓ２１０“Ｙｅｓ”）、移動された拡大盤アイコン９３または対向先盤アイコン９６の位置を、表示制御部１３に通知する。
【０１２５】
次に、表示制御部１３は、拡大盤アイコン９３と対向先盤アイコン９６との接続関係を維持したまま、移動された拡大盤アイコン９３または対向先盤アイコン９６の位置に基づいて、第２の画面９０２のレイアウトを変更する（Ｓ２１１）。
【０１２６】
また、受付部１４は、図面の表示を指示する操作を受け付けたか否かを判断する（Ｓ２１２）。受付部１４は、図面の表示を指示する操作を受け付けていないと判断した場合は（Ｓ２１２“Ｎｏ”）、Ｓ２１４の処理に進む。
【０１２７】
受付部１４は、例えば、第２の画面９０２上で、図面表示ボタン９２１ａがクリックまたはダブルクリック等によって選択された場合に、現在、詳細表示対象として選択されている盤３に関する図面の表示を指示する操作を受け付けたと判断する（Ｓ２１２“Ｙｅｓ”）。この場合、受付部１４は、図面の表示を指示する操作を受け付けたこと、および、詳細表示対象として選択されている盤３の盤名称を表示制御部１３に通知する。
【０１２８】
そして、表示制御部１３は、詳細表示対象として選択されている盤３に関する図面を記憶部１５から取得し、ディスプレイ１１０に表示する（Ｓ２１３）。
【０１２９】
また、受付部１４は、詳細表示対象の盤３を変更するユーザの操作を受け付けたか否かを判断する（Ｓ２１４）。
【０１３０】
受付部１４は、例えば、第２の画面９０２上で、対向先盤アイコン９６のうちのいずれかがクリックまたはダブルクリック等によって選択された場合に、詳細表示対象の盤３を変更するユーザの操作を受け付けたと判断する（Ｓ２１４“Ｙｅｓ”）。
【０１３１】
この場合、受付部１４は、新たな詳細表示対象として選択された盤３の盤名称を、特定部１２に通知する。この場合、特定部１２は、Ｓ２０２の処理を実行し、新たに詳細表示対象として選択された盤３に基づいて、データファイル７００から、詳細表示対象の盤３の端子５ごとに、該端子５に接続するケーブル心線６１の対向先の盤名称および端子台名称を特定する。そして、上述のＳ２０３〜Ｓ２０４の処理が実行され、Ｓ２０５の処理で、表示制御部１３は、新たに詳細表示対象として選択された盤３に基づく第２の表示対象データ８０２に基づいて、第２の画面９０２をディスプレイ１１０に表示する。
【０１３２】
また、受付部１４は、詳細表示対象の盤３を変更するユーザの操作を受け付けていないと判断した場合は（Ｓ２１４“Ｎｏ”）、ユーザから第２の画面９０２の表示の終了を指示する終了操作を受け付けたか否かを判断する（Ｓ２１５）。受付部１４は、終了操作を受け付けていないと判断した場合は（Ｓ２１５“Ｎｏ”）、Ｓ２０１の処理に戻り、第２の画面９０２がディスプレイ１１０に表示された状態で、ユーザの操作を待機する。
【０１３３】
また、受付部１４は、ユーザから第２の画面９０２の表示の終了を指示する終了操作を受け付けたと判断した場合は（Ｓ２１５“Ｙｅｓ”）、表示制御部１３に第２の画面９０２の表示の終了を通知する。ここで、表示制御部１３は第２の画面９０２の表示を終了し、このフローチャートの処理は終了する。
【０１３４】
なお、第２の画面９０２の表示の終了のトリガは、これに限定されるものではない。また、受付部１４は、第２の画面９０２から、第１の画面９０１に戻る操作を受け付けるものとしても良い。受付部１４が当該操作を受け付けた場合は、表示制御部１３は、第２の画面９０２の表示を終了すると共に、第１の画面９０１を表示する。
【０１３５】
このように、本実施形態の制御ケーブル管理装置１は、詳細表示対象の盤３を表す拡大盤アイコン９３と、詳細表示対象の盤３に設けられた１または複数の端子台４を表す１または複数の端子台アイコン９４と、該１または複数の端子台４の各々に設けられた複数の端子５を表す複数の端子アイコン９５と、詳細表示対象の盤３に設けられた複数の端子５のいずれかに接続された１または複数のケーブル心線６１と接続する１または複数の盤３を表す１または複数の対向先盤アイコン９６と、対向先の１または複数の盤３に設けられた１または複数の端子台４を表す１または複数の対向先端子台アイコン９７と、１または複数のケーブル心線６１を表す１または複数の線画像９８とをディスプレイ１１０に表示する。このため、本実施形態の制御ケーブル管理装置１によれば、第１の実施形態の効果に加えて、詳細表示対象の盤３に設けられた端子５と接続するケーブル心線６１に関して、第１の画面９０１よりも詳細な接続関係を可視化することができる。これにより、ユーザが所望の盤３に関する詳細な接続関係を容易に把握することができる。また、本実施形態の制御ケーブル管理装置１によれば、対向先に関しては、端子５ではなく端子台４レベルで表示することにより、画面上の表示が煩雑によることを抑制するため、ユーザがケーブル心線６１の接続関係を容易に把握することができる。
【０１３６】
また、本実施形態の制御ケーブル管理装置１は、第１の画面９０１に表示された複数の盤アイコン９１のうちのいずれかを選択する操作を受け付け、選択された盤アイコン９１が表す盤３を詳細表示対象の盤３とする第２の画面９０２を、ディスプレイ１１０に表示する。このため、本実施形態の制御ケーブル管理装置１によれば、ユーザは、盤３レベルに集約された第１の画面９０１から、詳細表示対象の盤３を容易に選択することができる。
【０１３７】
また、本実施形態の制御ケーブル管理装置１は、ケーブル心線６１の使用用途を選択する操作を受け付けた場合に、選択された使用用途のケーブル心線６１を表す線画像９８を第２の画面９０２に表示し、選択されていない使用用途のケーブル心線６１を表す線画像９８を第２の画面９０２に表示しない。このため、本実施形態の制御ケーブル管理装置１によれば、ユーザは多数のケーブル心線６１のうち、確認対象の使用用途のケーブル心線６１の接続関係を、容易に確認することができる。
【０１３８】
また、本実施形態の制御ケーブル管理装置１は、ディスプレイ１１０に表示された複数の盤３のうちのいずれかに関する図面の表示を指示する操作を受け付けた場合に、当該図面をディスプレイ１１０に表示する。このため、本実施形態の制御ケーブル管理装置１によれば、盤３に関する図面を参照して、ケーブル心線６１の接続関係の整合性を確認することができる。
【０１３９】
また、本実施形態の制御ケーブル管理装置１は、データファイル７００に登録された１または複数のケーブル心線６１の接続関係または使用用途に不整合がある場合には、不整合の内容を示す情報を、第２の画面９０２に表示する。このため、本実施形態の制御ケーブル管理装置１によれば、ケーブル心線６１の接続関係に不整合がある場合に、ユーザが、不整合の内容を容易に確認することができる。
【０１４０】
なお、本実施形態では、第１の画面９０１が表示されることを前提として、第１の画面９０１から第２の画面９０２に画面遷移するものとしたが、第１の画面９０１を経ずに、第２の画面９０２が直接表示されても良い。例えば、データファイル７００において、予め、詳細表示対象の盤３が指定されていても良い。また、表示制御部１３は、詳細表示対象の盤３の指定を受け付ける選択画面を表示し、受付部１４が、当該選択画面によって選択された詳細表示対象の盤３の指定を受け付けるものとしても良い。
【０１４１】
また、受付部１４は、第２の画面９０２に表示された不整合の内容を修正するユーザの操作を受け付けても良い。この場合、受付部１４は、受け付けた操作に基づいて、記憶部１５に保存されたデータファイル７００を修正しても良い。
【０１４２】
（第３の実施形態）
上述の第１、第２の実施形態では、制御ケーブル管理装置１は、盤３レベルまたは対向先端子台４レベルで集約されたケーブル心線６１の接続関係を表示していた。この第３の実施形態では、ユーザが詳細な表示を所望する端子台４の組み合わせにおける端子５レベルの詳細なケーブル心線６１の接続関係を表示する。
【０１４３】
本実施形態における制御ケーブル管理装置１は、図２で示した第１の実施形態と同様に、取得部１１と、特定部１２と、表示制御部１３と、受付部１４と、記憶部１５とを備える。
【０１４４】
本実施形態の取得部１１は、第１の実施形態および第２の実施形態と同様の機能を備える。また、本実施形態の記憶部１５は、第１の実施形態および第２の実施形態と同様の内容を記憶する。
【０１４５】
本実施形態の受付部１４は、第１の実施形態および第２の実施形態と同様の機能を備えた上で、詳細表示対象の対向先の端子台４の選択を受け付ける。例えば、受付部１４は、第２の画面９０２に表示された１または複数の対向先端子台アイコン９７のうちのいずれかを選択する操作を受け付ける。受付部１４は、第２の画面９０２において詳細表示対象として選択されていた盤３の盤名称と、表示対象として選択されていた端子台４の端子台名称と、詳細表示対象として選択された対向先の端子台４の対向先端子台名称と、詳細表示対象として選択された対向先の端子台４が設けられた対向先の盤３の対向先盤名称を、特定部１２に通知する。
【０１４６】
本実施形態の特定部１２は、第１の実施形態および第２の実施形態と同様の機能を備えた上で、選択された対向先端子台および対向先端子台が設けられた対向先盤と、詳細表示対象の盤３に設けられた端子台４のうち第２の画面９０２で表示されていた端子台４とでフィルタし、第３の表示対象データを生成する。
【０１４７】
図１３は、本実施形態に係る第３の表示対象データ８０３の一例を示す図である。具体的には、図１３は、図１１で示した第２の画面９０２において、対向先端子台アイコン９７ｄが選択された場合に、特定部１２が生成する第３の表示対象データ８０３の一例である。
【０１４８】
図１１で示した第２の画面９０２では、盤名称“Ａ”の盤３に設けられた端子台名称“ＴＢ１”の端子台４が表示対象として選択された状態であった。この状態で、対向先盤名称“Ｂ”かつ対向先端子台名称“ＴＢ２”を示す対向先端子台アイコン９７ｄがユーザによって選択されると、特定部１２は、盤名称“Ａ”の盤３に設けられた端子台名称“ＴＢ１”の端子台４と、対向先盤名称“Ｂ”の盤３に設けられた対向先端子台名称“ＴＢ２”の端子台４との間のケーブル心線６１の接続関係に関する情報を、表示対象として特定する。
【０１４９】
なお、端子台名称または対向先端子台名称のみで端子台４を特定可能な場合には、盤名称または対向先盤名称をフィルタに用いずとも良い。
【０１５０】
また、特定部１２は、詳細表示対象の盤３に設けられた端子台４のうち第２の画面９０２で表示されていた端子台４に設けられた端子５に接続するケーブル心線６１のうち、接続先が不明のケーブル心線６１も、表示対象として第３の表示対象データ８０３に含める。
【０１５１】
図１４は、本実施形態に係るディスプレイ１１０に表示された第３の画面９０３の一例を示す図である。
【０１５２】
本実施形態の表示制御部１３は、第１の実施形態および第２の実施形態と同様の機能を備えた上で、１つの端子台４に設けられた複数の端子５を表す複数の端子アイコン９９ａ〜９９ｈ（以下、特に区別しない場合は単に端子アイコン９９という）と、他の１つの端子台４に設けられた複数の端子５を表す複数の対向先端子アイコン９１０ａ〜９１０ｄ（以下、特に区別しない場合は単に対向先端子アイコン９１０という）と、複数の端子アイコン９９のいずれかと複数の対向先端子アイコン９１０のいずれかを接続する１または複数のケーブル心線６１を表す１または複数の線画像９１１とを含む第３の画面９０３を、ディスプレイ１１０に表示する。
【０１５３】
第３の画面９０３における端子アイコン９９は、本実施形態における第９の画像の一例である。第３の画面９０３における対向先端子アイコン９１０は、本実施形態における第１０の画像の一例である。第３の画面９０３における線画像９１１は、本実施形態における第１１の画像の一例である。
【０１５４】
また、表示制御部１３は、図２において詳細表示対象であった盤３を表す盤アイコン９１３と、詳細表示対象であった盤３に設けられた端子台４のうち、表示対象として選択されていた端子台４を表す端子台アイコン９１２とを第３の画面９０３に表示する。
【０１５５】
また、表示制御部１３は、選択された対向先の端子台４を表す対向先端子台アイコン９１４と、対向先端子台アイコン９１４が設けられた対向先の盤３を表す対向先盤アイコン９１５とを第３の画面９０３に表示する。
【０１５６】
また、表示制御部１３は、第３の画面９０３上に、使用用途の選択ボタン９２０を表示する。表示制御部１３は、第３の画面９０３の初期表示においては、全ての使用用途の線画像９１１を表示する。また、表示制御部１３は、使用用途ごとに、線画像９１１の色等の表示態様を変えて表示しても良い。
【０１５７】
また、表示制御部１３は、盤アイコン９１３上に、図面表示ボタン９２１ａを表示する。図面表示ボタン９２１ａは、第２の画面９０２における図面表示ボタン９２１ａと同様の機能を有する。また、表示制御部１３は、対向先盤アイコン９１５上に、図面表示ボタン９２１ｂを表示する。図面表示ボタン９２１ｂは、対向先の盤３に関する図面の表示を指示する操作を受け付け可能なボタンである。以下、図面表示ボタン９２１ａ，９２１ｂを特に区別しない場合には、単に図面表示ボタン９２１という。
【０１５８】
次に、上記のように構成された本実施形態の制御ケーブル管理装置１によって実行される制御ケーブル管理処理の流れについて説明する。
【０１５９】
図１５は、本実施形態に係る制御ケーブル管理処理の流れの一例を示すフローチャートである。
【０１６０】
Ｓ３０１の第２の画面９０２の表示処理は、図１２で説明した第２の実施形態における制御ケーブル管理処理と同様の処理である。
【０１６１】
本実施形態の受付部１４は、第２の画面９０２が表示された状態において、詳細表示対象の対向先の端子台４の選択を受け付けたか否かを判断する（Ｓ３０２）。受付部１４は、詳細表示対象の対向先の端子台４を選択するユーザの操作を受け付けていないと判断した場合は（Ｓ３０２“Ｎｏ”）、Ｓ３０２の処理を繰り返す。
【０１６２】
受付部１４は、例えば、第２の画面９０２に表示された１または複数の対向先端子台アイコン９７のうちのいずれかを選択する操作を受け付けた場合に、詳細表示対象の対向先の端子台４の選択を受け付けたと判断する（Ｓ３０２“Ｙｅｓ”）。この場合、受付部１４は、詳細表示対象として選択された対向先の端子台４の対向先端子台名称と、詳細表示対象として選択された対向先の端子台４が設けられた対向先の盤３の対向先盤名称を、特定部１２に通知する。
【０１６３】
そして、特定部１２は、第２の表示対象データ８０２を、選択された対向先の端子台４および当該対向先の端子台４が設けられた対向先の盤３と、詳細表示対象の盤３に設けられた端子台４のうち第２の画面９０２で表示されていた端子台４とでフィルタし、第３の表示対象データ８０３を生成する。特定部１２は、生成した第３の表示対象データ８０３を表示制御部１３に送出する。また、特定部１２は、生成した第３の表示対象データ８０３を記憶部１５に保存しても良い。
【０１６４】
そして、表示制御部１３は、第３の表示対象データ８０３に基づいて、第３の画面９０３をディスプレイ１１０に表示する（Ｓ３０４）。また、表示制御部１３は、第３の表示対象データ８０３に登録された１または複数のケーブル心線６１の接続関係または用途に不整合がある場合には、不整合の内容を示す情報を第３の画面９０３に表示する。
【０１６５】
次に、受付部１４は、使用用途を選択するユーザの操作を受け付けたか否かを判断する（Ｓ３０５）。受付部１４は、使用用途を選択する操作を受け付けていないと判断した場合は（Ｓ３０５“Ｎｏ”）、Ｓ３０７の処理に進む。
【０１６６】
受付部１４は、使用用途を選択する操作を受け付けたと判断した場合は（Ｓ３０５“Ｙｅｓ”）、選択された使用用途を、表示制御部１３に通知する。この場合、表示制御部１３は、選択された使用用途のケーブル心線６１を表す線画像９１１を第３の画面９０３に表示する（Ｓ３０６）。
【０１６７】
また、受付部１４は、図面の表示を指示する操作を受け付けたか否かを判断する（Ｓ３０７）。受付部１４は、例えば、図１４に示す第３の画面９０３上で、図面表示ボタン９２１ａまたは、図面表示ボタン９２１ｂがクリックまたはダブルクリック等によって選択された場合に、現在、盤名称“Ａ”の盤３、または盤名称“Ｂ”の盤３に関する図面の表示を指示する操作を受け付けたと判断する（Ｓ３０７“Ｙｅｓ”）。この場合、受付部１４は、図面の表示を指示する操作を受け付けたこと、および、選択された盤名称“Ａ”の盤３、または盤名称“Ｂ”を表示制御部１３に通知する。
【０１６８】
そして、表示制御部１３は、図面の表示を指示された盤３に関する図面を記憶部１５から取得し、ディスプレイ１１０に表示する（Ｓ３０８）。
【０１６９】
また、受付部１４は、図面の表示を指示する操作を受け付けていないと判断した場合は（Ｓ３０７“Ｎｏ”）、Ｓ３０９の処理に進む。
【０１７０】
そして、受付部１４は、ユーザから第３の画面９０３の表示の終了を指示する終了操作を受け付けたか否かを判断する（Ｓ３０９）。受付部１４は、終了操作を受け付けていないと判断した場合は（Ｓ３０９“Ｎｏ”）、Ｓ３０２の処理に戻り、第３の画面９０３がディスプレイ１１０に表示された状態で、ユーザの操作を待機する。
【０１７１】
また、受付部１４は、ユーザから第３の画面９０３の表示の終了を指示する終了操作を受け付けたと判断した場合は（Ｓ３０９“Ｙｅｓ”）、表示制御部１３に第３の画面９０３の表示の終了を通知する。ここで、表示制御部１３は第３の画面９０３の表示を終了し、このフローチャートの処理は終了する。
【０１７２】
なお、第３の画面９０３の表示の終了のトリガは、これに限定されるものではない。また、受付部１４は、第３の画面９０３から、第１の画面９０１または第２の画面９０２に戻る操作を受け付けるものとしても良い。受付部１４が当該操作を受け付けた場合は、表示制御部１３は、第３の画面９０３の表示を終了すると共に、第１の画面９０１または第２の画面９０２を表示する。
【０１７３】
このように、本実施形態の制御ケーブル管理装置１は、１つの端子台４に設けられた複数の端子５を表す複数の端子アイコン９９と、他の１つの端子台４に設けられた複数の端子５を表す複数の対向先端子アイコン９１０と、複数の端子アイコン９９のいずれかと複数の対向先端子アイコン９１０のいずれかを接続する１または複数のケーブル心線６１を表す１または複数の線画像９１１とを、ディスプレイ１１０に表示する。このため、本実施形態の制御ケーブル管理装置１は、第１、第２の実施形態の効果に加えて、特定の端子台４の組み合わせにおける端子５レベルの詳細なケーブル心線６１の接続関係を表示することにより、ユーザが１対の端子台４の組み合わせにおけるケーブル心線６１の詳細な接続関係を、容易に把握することができる。
【０１７４】
また、本実施形態の制御ケーブル管理装置１は、第２の画面９０２に表示された１または複数の対向先端子台アイコン９７のうちのいずれかを選択する操作を受け付ける。本実施形態の第３の画面９０３においては、対向先端子アイコン９１０は、第２の画面９０２に表示された対向先端子台アイコン９７が表す端子台４に設けられた複数の端子５を表し、端子アイコン９９は、第２の画面９０２における１または複数の端子台アイコン９４のうちのいずれかに表される端子台４に設けられた複数の端子５を表す。つまり、本実施形態の制御ケーブル管理装置１によれば、ユーザが、第２の画面９０２においてさらに詳細な表示を所望した端子台４の組み合わせを表示対象として、端子５レベルでのケーブル心線６１の接続関係を表示する。このため、端子台４またはケーブル心線６１が大量に敷設されている場合でも、ユーザは所望の端子台４間におけるケーブル心線６１の詳細な接続関係を、容易に把握することができる。
【０１７５】
また、本実施形態の制御ケーブル管理装置１は、ケーブル心線６１の使用用途を選択する操作を受け付けた場合に、選択された使用用途のケーブル心線６１を表す線画像９１１を第３の画面９０３に表示し、選択されていない使用用途のケーブル心線６１を表す線画像９１１を第３の画面９０３に表示しない。このため、本実施形態の制御ケーブル管理装置１によれば、ユーザは多数のケーブル心線６１のうち、確認対象の使用用途のケーブル心線６１の接続関係を容易に確認することができる。
【０１７６】
なお、本実施形態では、第２の画面９０２が表示されることを前提として、第２の画面９０２から第３の画面９０３に画面遷移するものとしたが、第２の画面９０２を経ずに、第３の画面９０３が直接表示されても良い。例えば、データファイル７００において、予め、第３の画面９０３の表示対象の１組の端子台４が指定されていても良い。また、表示制御部１３は、第３の画面９０３の表示対象の１組の端子台４の指定を受け付ける選択画面を表示し、受付部１４が、当該選択画面によって選択された１組の端子台４の指定を受け付けるものとしても良い。
【０１７７】
以上説明したとおり、第１から第３の実施形態の制御ケーブル管理装置１によれば、複数の盤３間の制御ケーブル６またはケーブル心線６１の接続関係の把握を容易にすることができる。
【０１７８】
上述の各実施形態の制御ケーブル管理装置１で実行される制御ケーブル管理プログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【０１７９】
また、本実施形態の制御ケーブル管理装置１で実行される制御ケーブル管理プログラムを、インターネット等のネットワークに接続されたコンピュータ上に格納し、ネットワーク経由でダウンロードさせることにより提供するように構成しても良い。また、本実施形態の制御ケーブル管理装置１で実行される制御ケーブル管理プログラムをインターネット等のネットワーク経由で提供または配布するように構成しても良い。また、本実施形態の制御ケーブル管理プログラムを、ＲＯＭ等に予め組み込んで提供するように構成しても良い。
【０１８０】
本実施形態の制御ケーブル管理装置１で実行される制御ケーブル管理プログラムは、上述した各部（取得部、特定部、表示制御部、受付部）を含むモジュール構成となっており、実際のハードウェアとしてはＣＰＵ（プロセッサ）が上記記憶媒体から制御ケーブル管理プログラムを読み出して実行することにより上記各部が主記憶装置上にロードされ、取得部、特定部、表示制御部、受付部が主記憶装置上に生成されるようになっている。なお、これらの構成は、ハードウェア回路によって実現されても良い。
【０１８１】
なお、以上の各実施形態においては、ユーザが制御ケーブル管理装置１を操作し、制御ケーブル管理装置１のディスプレイ１１０に第１〜第３の画面９０１，９０２，９０３が表示される構成としたが、制御ケーブル管理装置１の構成はこれに限定されるものではない。
【０１８２】
例えば、制御ケーブル管理装置１は、ＰＣ（Personal  Computer）等のクライアント装置とネットワークを介して接続するサーバ装置等であっても良い。当該構成を採用する場合は、制御ケーブル管理装置１の受付部１４は、クライアント装置を介して、ユーザの各種操作を受け付ける。また、制御ケーブル管理装置１の表示制御部１３は、クライアント装置に第１〜第３の画面９０１，９０２，９０３の表示内容を送信することにより、クライアント装置のディスプレイ等に第１〜第３の画面９０１，９０２，９０３を表示させる。クライアント装置のディスプレイ等に第１〜第３の画面９０１，９０２，９０３を表示させる手法としては、Ｗｅｂブラウザ等の公知の手法を採用することができる。当該構成を採用する場合、制御ケーブル管理プログラムは、制御ケーブル管理装置１の記憶媒体に保存され、クライアント装置からのアクセスに応じて、制御ケーブル管理装置１およびクライアント装置のＣＰＵによって実行される。
【０１８３】
なお、以上の各実施形態においては電気所２を例に制御ケーブル管理装置１を説明したが、制御ケーブル管理装置１の適用例はこれに限られるものでなく、他の用途における制御ケーブル６の管理においても適用し得る。一例として、制御ケーブル管理装置１は、工場や施設等に設けられた制御ケーブル６を管理対象としても良い。
【０１８４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１８５】
１  制御ケーブル管理装置
２  電気所
３，３ａ，３ｂ  盤
４，４ａ〜４ｄ  端子台
５，５ａ〜５ｎ，５ａａ〜５ａｎ，５ｂａ〜５ｂｎ，５ｃａ〜５ｃｎ  端子
６，６ａ，６ｂ  制御ケーブル
１１  取得部
１２  特定部
１３  表示制御部
１４  受付部
１５  記憶部
６１，６１ａ〜６１ｅ  ケーブル心線
９１，９１ａ〜９１ｉ  盤アイコン
９２，９２ａ〜９２ｇ  線画像
９３  拡大盤アイコン
９４，９４ａ〜９４ｄ  端子台アイコン
９５，９５ａ〜９５ｈ  端子アイコン
９６，９６ａ〜９６ｃ  対向先盤アイコン
９７，９７ａ〜９７ｆ  対向先端子台アイコン
９８，９８ａ〜９８ｈ  線画像
９９，９９ａ〜９９ｈ  端子アイコン
１１０  ディスプレイ
７００  データファイル
８０１  第１の表示対象データ
８０２  第２の表示対象データ
８０３  第３の表示対象データ
９０１  第１の画面
９０２  第２の画面
９０３  第３の画面
９１０，９１０ａ〜９１０ｄ  対向先端子アイコン
９１１  線画像
９１２  端子台アイコン
９１３  盤アイコン
９１４  対向先端子台アイコン
９１５  対向先盤アイコン
９２０，９２０ａ〜９２０ｆ  選択ボタン
９２１，９２１ａ，９２１ｂ  図面表示ボタン
【図１】
2020201632.tif 000003
【図２】
2020201632.tif 000004
【図３】
2020201632.tif 000005
【図４】
2020201632.tif 000006
【図５】
2020201632.tif 000007
【図６】
2020201632.tif 000008
【図７】
2020201632.tif 000009
【図８】
2020201632.tif 000010
【図９】
2020201632.tif 000011
【図１０】
2020201632.tif 000012
【図１１】
2020201632.tif 000013
【図１２】
2020201632.tif 000014
【図１３】
2020201632.tif 000015
【図１４】
2020201632.tif 000016
【図１５】
2020201632.tif 000017